(57)【要約】    【課題】      宅外の携帯端末装置に対して、食品の在庫情報だけでなく、料理情報を検索して通知すること。    【解決手段】  本発明の冷蔵庫在庫食品管理システム１００は、食品在庫料理情報管理装置１０６を有する冷蔵庫１０１と、在庫情報の取得を要求する在庫情報取得要求を送信する携帯端末装置１０５と、を具備する。食品在庫料理情報管理装置１０６は、冷蔵庫１０１に収容され又は取り出される食品の名称及び数量の食品情報を取得して冷蔵庫１０１に収容される前記食品の在庫情報を管理し、携帯端末装置１０５から前記在庫情報取得要求を受けた時に当該携帯端末装置１０５に対して当該在庫情報取得要求に係る前記在庫情報に基づいた調理可能な料理情報を検索し携帯端末装置１０５に送信する。  【選択図】      図１
2005202696.tif 000002
【特許請求の範囲】
【請求項１】
複数の食品を収容し食品の在庫情報及び料理情報を管理する食品在庫料理情報管理手段を有する冷蔵庫と、前記食品在庫料理情報管理手段に対して前記在庫情報の取得を要求する在庫情報取得要求を送信する携帯端末装置と、を具備する冷蔵庫在庫食品管理システムであって、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に当該携帯端末装置に対して当該在庫情報取得要求に係る前記在庫情報に基づいた調理可能な料理情報を検索する料理情報検索手段と、前記携帯端末装置から前記在庫情報取得要求を受けた時に前記在庫情報及び前記料理情報を前記携帯端末装置に送信する手段と、を具備する冷蔵庫在庫食品管理システム。
【請求項２】
前記携帯端末装置から前記在庫情報取得要求を受けた時に前記料理情報に係る調理を行うために不足している食品情報である購入食品情報を検索して前記携帯端末装置に送信する購入食品情報検索手段を具備する請求項１に記載の冷蔵庫在庫食品管理システム。
【請求項３】
前記食品情報取得手段は、食品の賞味期限情報を取得する賞味期限情報取得手段を有し、前記食品在庫情報管理手段は、前記賞味期限情報を記憶し当該賞味期限情報に基づいて前記賞味期限が過ぎた賞味期限経過食品情報を検索して当該賞味期限経過食品情報に係る食品を購入お勧め食品として前記携帯端末装置に通知する購入お勧め食品検索手段を具備する請求項１に記載の冷蔵庫在庫食品管理システム。
【請求項４】
前記食品情報取得手段は、食品の賞味期限情報を取得する賞味期限情報取得手段を有し、前記食品在庫情報管理手段は、前記賞味期限情報を記憶し当該賞味期限情報に基づいて賞味期限順の食品情報を検索して当該賞味期限順の食品情報を前記携帯端末装置に通知する賞味期限順検索手段を具備する請求項１に記載の冷蔵庫在庫食品管理システム。
【請求項５】
前記食品情報取得手段は、ユーザが指定した毎日食する食品の情報であるデイリー食品情報を取得するデイリー食品情報取得手段を有し、前記食品在庫情報管理手段は、前記デイリー食品情報を記憶し当該デイリー食品情報に基づいて前記デイリー食品の保管期間が一定値以上となった時又は前記デイリー食品の使用回数が一定値以上となった時に当該デイリー食品を購入お勧め食品として前記携帯端末装置に通知するデイリー食品情報検索手段を具備する請求項１に記載の冷蔵庫在庫食品管理システム。
【請求項６】
前記食品情報取得手段は、前記食品に付加され前記食品情報を記憶しているＲＦタグと、前記ＲＦタグの前記食品情報を読み取るＲＦ通信装置と、を具備する請求項１に記載の冷蔵庫在庫食品管理システム。
【請求項７】
前記携帯端末装置は、前記食品在庫料理情報管理手段から通知された情報を保存する手段を具備する請求項１に記載の冷蔵庫在庫食品管理システム。
【請求項８】
複数の食品を収容し食品の在庫情報を管理する食品在庫情報管理ユニットを有する冷蔵庫と、前記食品在庫料理情報管理ユニットに対して前記在庫情報の取得を要求する在庫情報取得要求を送信する携帯端末装置と、レシピサービス手段と、を具備する冷蔵庫在庫食品管理システムであって、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサービス手段に送る手段を具備し、前記レシピサービス手段は、前記携帯端末装置からの前記料理情報の要求に応答して調理可能な料理の料理情報を前記携帯端末装置に送信する手段を具備する冷蔵庫在庫食品管理システム。
【請求項９】
前記携帯端末装置は、前記在庫情報を前記レシピサービス手段に送る手段を具備し、前記レシピサービス手段は、前記携帯端末装置から前記在庫情報取得要求を受けた時に前記料理情報に係る調理を行うために不足している食品情報である購入食品情報を検索して前記携帯端末装置に送信する購入食品情報検索手段を具備する請求項８に記載の冷蔵庫在庫食品管理システム。
【請求項１０】
複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサービス手段と、複数の店舗に配置され複数の食品の在庫の情報である食品在庫情報を保存している複数の食品在庫情報保存手段と、を具備する冷蔵庫在庫食品管理システムであって、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサービス手段に送る手段を具備し、前記レシピサービス手段は、前記携帯端末装置からの前記料理情報の要求に応答して調理可能な料理の料理情報を提供する手段と、前記調理可能な料理の料理情報及び前記複数の食品在庫情報保存手段の前記食品在庫情報に基づいてお勧めの前記店舗の名称及び所在地を検索して前記携帯端末装置に通知するお勧め店舗検索手段と、を具備する冷蔵庫在庫食品管理システム。
【請求項１１】
複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサービス手段と、複数の食品宅配サービス業者が所有する通信装置と、を具備する冷蔵庫在庫食品管理システムであって、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサービス手段に送る手段を具備し、前記レシピサービス手段は、前記携帯端末装置からの前記料理情報の要求に応答して調理可能な料理の料理情報を提供する手段と、を具備し、前記携帯端末装置は、前記レシピサービス手段からの前記料理情報のいずれか１つを選択して選択した前記料理情報の要求を前記レシピサービス手段に送る手段を具備し、前記レシピサービス手段は、前記携帯端末装置から前記在庫情報取得要求を受けた時に前記料理情報に係る調理を行うために不足している食品情報である購入食品情報を検索する購入食品情報検索手段と、前記購入食品情報検索手段により検索された前記購入食品情報に基づいて前記複数の食品宅配サービス業者の通信装置の１つを選択して当該通信装置に前記料理情報に係る購入食品の名称及び数量の情報を通知する購入食品情報通知手段と、を具備する冷蔵庫在庫食品管理システム。
【請求項１２】
複数の食品を収容し食品の在庫情報及び料理情報を管理する食品在庫料理情報管理手段を有する冷蔵庫であって、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、携帯端末装置から在庫情報取得要求を受けた時に当該携帯端末装置に対して当該在庫情報取得要求に係る前記在庫情報に基づいた調理可能な料理情報を検索する料理情報検索手段と、前記携帯端末装置から前記在庫情報取得要求を受けた時に前記在庫情報及び前記料理情報を前記携帯端末装置に送信する手段と、を具備する冷蔵庫。
【請求項１３】
前記携帯端末装置から前記在庫情報取得要求を受けた時に前記料理情報に係る調理を行うために不足している食品情報である購入食品情報を検索して前記携帯端末装置に送信する購入食品情報検索手段を具備する請求項１２に記載の冷蔵庫。
【請求項１４】
前記食品情報取得手段は、食品の賞味期限情報を取得する賞味期限情報取得手段を有し、前記食品在庫情報管理手段は、前記賞味期限情報を記憶し当該賞味期限情報に基づいて前記賞味期限が過ぎた賞味期限経過食品情報を検索して当該賞味期限経過食品情報に係る食品を購入お勧め食品として前記携帯端末装置に通知する購入お勧め食品検索手段を具備する請求項１２に記載の冷蔵庫。
【請求項１５】
前記食品情報取得手段は、食品の賞味期限情報を取得する賞味期限情報取得手段を有し、前記食品在庫情報管理手段は、前記賞味期限情報を記憶し当該賞味期限情報に基づいて賞味期限順の食品情報を検索して当該賞味期限順の食品情報を前記携帯端末装置に通知する賞味期限順検索手段を具備する請求項１２に記載の冷蔵庫。
【請求項１６】
複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサーバと、を具備し、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサーバに送る手段を具備する冷蔵庫在庫食品管理システムにおけるレシピサーバであって、前記携帯端末装置からの前記料理情報の要求に応答して調理可能な料理の料理情報を前記携帯端末装置に送信する手段を具備するレシピサーバ。
【請求項１７】
前記携帯端末装置は、前記在庫情報を前記レシピサービス手段に送る手段を具備し、前記レシピサーバは、前記携帯端末装置から前記在庫情報取得要求を受けた時に前記料理情報に係る調理を行うために不足している食品情報である購入食品情報を検索して前記携帯端末装置に送信する購入食品情報検索手段を具備する請求項１６に記載のレシピサーバ。
【請求項１８】
複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサーバと、複数の店舗に配置され複数の食品の在庫の情報である食品在庫情報を保存している複数の食品在庫情報保存手段と、を具備し、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサーバに送る手段を具備する冷蔵庫在庫食品管理システムにおけるレシピサーバであって、前記携帯端末装置からの前記料理情報の要求に応答して調理可能な料理の料理情報を提供する手段と、前記調理可能な料理の料理情報及び前記複数の食品在庫情報保存手段の前記食品在庫情報に基づいてお勧めの前記店舗の名称及び所在地を検索して前記携帯端末装置に通知するお勧め店舗検索手段と、を具備するレシピサーバ。
【請求項１９】
複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサーバと、複数の食品宅配サービス業者が所有する通信装置と、を具備し、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサーバに送る手段を具備し、前記携帯端末装置は、前記レシピサーバからの前記料理情報のいずれか１つを選択して選択した前記料理情報の要求を前記レシピサーバに送る手段を具備する冷蔵庫在庫食品管理システムにおけるレシピサーバであって、前記携帯端末装置から前記在庫情報取得要求を受けた時に前記料理情報に係る調理を行うために不足している食品情報である購入食品情報を検索する購入食品情報検索手段と、前記購入食品情報検索手段により検索された前記購入食品情報に基づいて前記複数の食品宅配サービス業者の通信装置の１つを選択して当該通信装置に前記料理情報に係る購入食品の名称及び数量の情報を通知する購入食品情報通知手段と、を具備するレシピサーバ。
【請求項２０】
複数の食品を収容し食品の在庫情報及び料理情報を管理する食品在庫料理情報管理手段を有する冷蔵庫と、携帯端末装置と、を具備し、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に当該携帯端末装置に対して当該在庫情報取得要求に係る前記在庫情報に基づいた調理可能な料理情報を検索する料理情報検索手段と、前記携帯端末装置から前記在庫情報取得要求を受けた時に前記在庫情報及び前記料理情報を前記携帯端末装置に送信する手段と、を具備する冷蔵庫在庫食品管理システムにおける携帯端末装置であって、前記食品在庫料理情報管理手段に対して前記在庫情報の取得を要求する在庫情報取得要求を送信する手段を具備する携帯端末装置。
【発明の詳細な説明】
【技術分野】
【０００１】
本発明は、家庭の冷蔵庫に収容する食品の管理を行う冷蔵庫在庫食品管理システム、冷蔵庫及びレシピサーバに関する。
【背景技術】
【０００２】
近年、家庭内のホームネットワークの充実に伴い、家電製品をネットワークで接続して総合的に管理するシステムが開発されている。また、家庭への高速ネットワークの普及により、外出先から携帯端末装置を用いてホームネットワークに接続し、例えば、冷蔵庫の貯蔵状況又はリモートの調理などを行うシステムが開発されている。例えば、特許文献１に記載の食品管理システムは、ホームネットワークとセンター局のメインサーバを連携させ、貯蔵データを管理することにより、貯蔵食品の管理をし、また、食品加工機での加工情報を提供し、さらには、外出先で携帯端末装置からホームネットワークのサーバ又はセンター局の個人用食品管理データベースにアクセスすることにより、貯蔵食品の把握をすることができる。
【０００３】
一方、最近の女性の社会進出が活発になってきており、今後よりいっそう働く女性及び共働きの家庭が増加し、夜ご飯の献立には頭を悩ます機会が増えることが予想される。会社帰りに家の冷蔵庫に在庫食材を確認するとともに、夜ご飯の献立を決定し、帰りに立ち寄ったスーパーで購入すべき食品をあまり時間を費やさず、また、頭を悩ますことなくスムーズに決定するようなサービスが要求されると考えられる。
【特許文献１】特開２００２-１４７９２９号公報
【発明の開示】
【発明が解決しようとする課題】
【０００４】
しかしながら、従来の食品管理システムにおいては、現在の貯蔵食品の確認に代表されるように固定された情報は入手できるが、各ユーザに重宝される十分な情報は提供されているとはいいがたく、ユーザが外出先で簡単に今夜の献立を決定できるような情報の提供ができていないという問題がある。
【０００５】
本発明は、かかる点に鑑みてなされたものであり、宅外の携帯端末装置に対して、食品の在庫情報だけでなく、料理情報を検索して通知することができる冷蔵庫在庫食品管理システム、冷蔵庫及びレシピサーバを提供することを目的とする。
【課題を解決するための手段】
【０００６】
請求項１に記載の冷蔵庫在庫食品管理システムは、複数の食品を収容し食品の在庫情報及び料理情報を管理する食品在庫料理情報管理手段を有する冷蔵庫と、前記食品在庫料理情報管理手段に対して前記在庫情報の取得を要求する在庫情報取得要求を送信する携帯端末装置と、を具備する冷蔵庫在庫食品管理システムであって、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に当該携帯端末装置に対して当該在庫情報取得要求に係る前記在庫情報に基づいた調理可能な料理情報を検索する料理情報検索手段と、前記携帯端末装置から前記在庫情報取得要求を受けた時に前記在庫情報及び前記料理情報を前記携帯端末装置に送信する手段と、を具備する構成を採る。
【０００７】
この構成によれば、宅外の携帯端末装置に対して、食品の在庫情報だけでなく、料理情報を検索して通知することができる。
【０００８】
請求項２に記載の冷蔵庫在庫食品管理システムは、請求項１に記載の発明において、前記携帯端末装置から前記在庫情報取得要求を受けた時に前記料理情報に係る調理を行うために不足している食品情報である購入食品情報を検索して前記携帯端末装置に送信する購入食品情報検索手段を具備する構成を採る。
【０００９】
この構成によれば、請求項１に記載の発明の効果に加えて、料理情報に係る調理を行うために不足している食品情報である購入食品情報を検索して携帯端末装置に送信することができる。
【００１０】
請求項３に記載の冷蔵庫在庫食品管理システムは、請求項１に記載の発明において、前記食品情報取得手段が、食品の賞味期限情報を取得する賞味期限情報取得手段を有し、前記食品在庫情報管理手段が、前記賞味期限情報を記憶し当該賞味期限情報に基づいて前記賞味期限が過ぎた賞味期限経過食品情報を検索して当該賞味期限経過食品情報に係る食品を購入お勧め食品として前記携帯端末装置に通知する購入お勧め食品検索手段を具備する構成を採る。
【００１１】
この構成によれば、請求項１に記載の発明の効果に加えて、賞味期限が過ぎた賞味期限経過食品情報を検索して当該賞味期限経過食品情報に係る食品を購入お勧め食品として携帯端末装置に通知することができる。
【００１２】
請求項４に記載の冷蔵庫在庫食品管理システムは、請求項１に記載の発明において、前記食品情報取得手段が、食品の賞味期限情報を取得する賞味期限情報取得手段を有し、前記食品在庫情報管理手段が、前記賞味期限情報を記憶し当該賞味期限情報に基づいて賞味期限順の食品情報を検索して当該賞味期限順の食品情報を前記携帯端末装置に通知する賞味期限順検索手段を具備する構成を採る。
【００１３】
この構成によれば、請求項１に記載の発明の効果に加えて、賞味期限情報に基づいて賞味期限順の食品情報を検索して当該賞味期限順の食品情報を携帯端末装置に通知することができる。
【００１４】
請求項５に記載の冷蔵庫在庫食品管理システムは、請求項１に記載の発明において、前記食品情報取得手段が、ユーザが指定した毎日食する食品の情報であるデイリー食品情報を取得するデイリー食品情報取得手段を有し、前記食品在庫情報管理手段が、前記デイリー食品情報を記憶し当該デイリー食品情報に基づいて前記デイリー食品の保管期間が一定値以上となった時又は前記デイリー食品の使用回数が一定値以上となった時に当該デイリー食品を購入お勧め食品として前記携帯端末装置に通知するデイリー食品情報検索手段を具備する構成を採る。
【００１５】
この構成によれば、請求項１に記載の発明の効果に加えて、デイリー食品の保管期間が一定値以上となった時又は前記デイリー食品の使用回数が一定値以上となった時に当該デイリー食品を購入お勧め食品として前記携帯端末装置に通知することができる。
【００１６】
請求項６に記載の冷蔵庫在庫食品管理システムは、請求項１に記載の発明において、前記食品情報取得手段は、前記食品に付加され前記食品情報を記憶しているＲＦタグと、前記ＲＦタグの前記食品情報を読み取るＲＦ通信装置と、を具備する構成を採る。
【００１７】
この構成によれば、請求項１に記載の発明の効果に加えて、食品情報を容易に取得することができる。
【００１８】
請求項７に記載の冷蔵庫在庫食品管理システムは、請求項１に記載の発明において、前記携帯端末装置が、前記食品在庫料理情報管理手段から通知された情報を保存する手段を具備する構成を採る。
【００１９】
この構成によれば、請求項１に記載の発明の効果に加えて、食品在庫料理情報管理手段から通知された情報を何度も確認することができる。
【００２０】
請求項８に記載の冷蔵庫在庫食品管理システムは、複数の食品を収容し食品の在庫情報を管理する食品在庫情報管理ユニットを有する冷蔵庫と、前記食品在庫料理情報管理ユニットに対して前記在庫情報の取得を要求する在庫情報取得要求を送信する携帯端末装置と、レシピサービス手段と、を具備する冷蔵庫在庫食品管理システムであって、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサービス手段に送る手段を具備し、前記レシピサービス手段は、前記携帯端末装置からの前記料理情報の要求に応答して調理可能な料理の料理情報を前記携帯端末装置に送信する手段を具備する構成を採る。
【００２１】
この構成によれば、宅外の携帯端末装置に対して、食品の在庫情報だけでなく、料理情報をレシピサービス手段が検索して一元管理して通知することができる。
【００２２】
請求項９に記載の冷蔵庫在庫食品管理システムは、請求項８に記載の発明において、前記携帯端末装置が、前記在庫情報を前記レシピサービス手段に送る手段を具備し、前記レシピサービス手段が、前記携帯端末装置から前記在庫情報取得要求を受けた時に前記料理情報に係る調理を行うために不足している食品情報である購入食品情報を検索して前記携帯端末装置に送信する購入食品情報検索手段を具備する構成を採る。
【００２３】
この構成によれば、請求項８に記載の発明の効果に加えて、料理情報に係る調理を行うために不足している食品情報である購入食品情報を検索して携帯端末装置に送信することができる。
【００２４】
請求項１０に記載の冷蔵庫在庫食品管理システムは、複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサービス手段と、複数の店舗に配置され複数の食品の在庫の情報である食品在庫情報を保存している複数の食品在庫情報保存手段と、を具備する冷蔵庫在庫食品管理システムであって、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサービス手段に送る手段を具備し、前記レシピサービス手段は、前記携帯端末装置からの前記料理情報の要求に応答して調理可能な料理の料理情報を提供する手段と、前記調理可能な料理の料理情報及び前記複数の食品在庫情報保存手段の前記食品在庫情報に基づいてお勧めの前記店舗の名称及び所在地を検索して前記携帯端末装置に通知するお勧め店舗検索手段と、を具備する構成を採る。
【００２５】
この構成によれば、宅外の携帯端末装置に対して、食品の在庫情報だけでなく、料理情報をレシピサービス手段が検索して一元管理して通知することができ、また、お勧めの店舗の名称及び所在地を検索して携帯端末装置に通知することができる。
【００２６】
請求項１１に記載の冷蔵庫在庫食品管理システムは、複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサービス手段と、複数の食品宅配サービス業者が所有する通信装置と、を具備する冷蔵庫在庫食品管理システムであって、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサービス手段に送る手段を具備し、前記レシピサービス手段は、前記携帯端末装置からの前記料理情報の要求に応答して調理可能な料理の料理情報を提供する手段と、を具備し、前記携帯端末装置は、前記レシピサービス手段からの前記料理情報のいずれか１つを選択して選択した前記料理情報の要求を前記レシピサービス手段に送る手段を具備し、前記レシピサービス手段は、前記携帯端末装置から前記在庫情報取得要求を受けた時に前記料理情報に係る調理を行うために不足している食品情報である購入食品情報を検索する購入食品情報検索手段と、前記購入食品情報検索手段により検索された前記購入食品情報に基づいて前記複数の食品宅配サービス業者の通信装置の１つを選択して当該通信装置に前記料理情報に係る購入食品の名称及び数量の情報を通知する購入食品情報通知手段と、を具備する構成を採る。
【００２７】
この構成によれば、宅外の携帯端末装置に対して、食品の在庫情報だけでなく、料理情報をレシピサービス手段が検索して一元管理して通知することができる。また、この構成によれば、購入食品情報に基づいて前記複数の食品宅配サービス業者の通信装置の１つを選択して当該通信装置に前記料理情報に係る購入食品の名称及び数量の情報を通知するから、食品宅配サービス業者は携帯端末装置の所有者（ユーザ）に購入食品を配達することができる。
【００２８】
請求項１２に記載の冷蔵庫は、複数の食品を収容し食品の在庫情報及び料理情報を管理する食品在庫料理情報管理手段を有する冷蔵庫であって、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、携帯端末装置から在庫情報取得要求を受けた時に当該携帯端末装置に対して当該在庫情報取得要求に係る前記在庫情報に基づいた調理可能な料理情報を検索する料理情報検索手段と、前記携帯端末装置から前記在庫情報取得要求を受けた時に前記在庫情報及び前記料理情報を前記携帯端末装置に送信する手段と、を具備する構成を採る。
【００２９】
この構成によれば、宅外の携帯端末装置に対して、食品の在庫情報だけでなく、料理情報を検索して通知することができる。
【００３０】
請求項１３に記載の冷蔵庫は、請求項１２に記載の発明において、前記携帯端末装置から前記在庫情報取得要求を受けた時に前記料理情報に係る調理を行うために不足している食品情報である購入食品情報を検索して前記携帯端末装置に送信する購入食品情報検索手段を具備する構成を採る。
【００３１】
この構成によれば、請求項１２に記載の発明の効果に加えて、料理情報に係る調理を行うために不足している食品情報である購入食品情報を検索して携帯端末装置に送信することができる。
【００３２】
請求項１４に記載の冷蔵庫は、請求項１２に記載の発明において、前記食品情報取得手段が、食品の賞味期限情報を取得する賞味期限情報取得手段を有し、前記食品在庫情報管理手段が、前記賞味期限情報を記憶し当該賞味期限情報に基づいて前記賞味期限が過ぎた賞味期限経過食品情報を検索して当該賞味期限経過食品情報に係る食品を購入お勧め食品として前記携帯端末装置に通知する購入お勧め食品検索手段を具備する構成を採る。
【００３３】
この構成によれば、請求項１２に記載の発明の効果に加えて、賞味期限が過ぎた賞味期限経過食品情報を検索して当該賞味期限経過食品情報に係る食品を購入お勧め食品として携帯端末装置に通知することができる。
【００３４】
請求項１５に記載の冷蔵庫は、請求項１２に記載の発明において、前記食品情報取得手段が、食品の賞味期限情報を取得する賞味期限情報取得手段を有し、前記食品在庫情報管理手段が、前記賞味期限情報を記憶し当該賞味期限情報に基づいて賞味期限順の食品情報を検索して当該賞味期限順の食品情報を前記携帯端末装置に通知する賞味期限順検索手段を具備する構成を採る。
【００３５】
この構成によれば、請求項１２に記載の発明の効果に加えて、賞味期限情報に基づいて賞味期限順の食品情報を検索して当該賞味期限順の食品情報を携帯端末装置に通知することができる。
【００３６】
請求項１６に記載のレシピサーバは、複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサーバと、を具備し、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサーバに送る手段を具備する冷蔵庫在庫食品管理システムにおけるレシピサーバであって、前記携帯端末装置からの前記料理情報の要求に応答して調理可能な料理の料理情報を前記携帯端末装置に送信する手段を具備する構成を採る。
【００３７】
この構成によれば、宅外の携帯端末装置に対して、食品の在庫情報だけでなく、料理情報をレシピサービス手段が検索して一元管理して通知することができる。
【００３８】
請求項１７に記載のレシピサーバは、請求項１６に記載の発明において、前記携帯端末装置が、前記在庫情報を前記レシピサービス手段に送る手段を具備し、前記レシピサーバが、前記携帯端末装置から前記在庫情報取得要求を受けた時に前記料理情報に係る調理を行うために不足している食品情報である購入食品情報を検索して前記携帯端末装置に送信する購入食品情報検索手段を具備する構成を採る。
【００３９】
この構成によれば、請求項１６に記載の発明の効果に加えて、賞味期限が過ぎた賞味期限経過食品情報を検索して当該賞味期限経過食品情報に係る食品を購入お勧め食品として携帯端末装置に通知することができる。
【００４０】
請求項１８に記載のレシピサーバは、複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサーバと、複数の店舗に配置され複数の食品の在庫の情報である食品在庫情報を保存している複数の食品在庫情報保存手段と、を具備し、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサーバに送る手段を具備する冷蔵庫在庫食品管理システムにおけるレシピサーバであって、前記携帯端末装置からの前記料理情報の要求に応答して調理可能な料理の料理情報を提供する手段と、前記調理可能な料理の料理情報及び前記複数の食品在庫情報保存手段の前記食品在庫情報に基づいてお勧めの前記店舗の名称及び所在地を検索して前記携帯端末装置に通知するお勧め店舗検索手段と、を具備する構成を採る。
【００４１】
この構成によれば、宅外の携帯端末装置に対して、食品の在庫情報だけでなく、料理情報をレシピサービス手段が検索して一元管理して通知することができ、また、お勧めの店舗の名称及び所在地を検索して携帯端末装置に通知することができる。
【００４２】
請求項１９に記載のレシピサーバは、複数の食品を収容し食品の在庫情報を管理する食品在庫情報管理ユニットを有する冷蔵庫と、前記食品在庫情報管理ユニットに対して前記在庫情報の取得を要求する在庫情報取得要求を送信する携帯端末装置と、レシピサーバと、複数の食品宅配サービス業者が所有する通信装置と、を具備し、前記食品在庫情報管理ユニットは、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に前記在庫情報を前記携帯端末装置に送信する手段と、を具備し、前記携帯端末装置は、前記食品在庫情報管理手段から受けた前記在庫情報に基づいて調理可能な料理の料理情報の要求を前記レシピサーバに送る手段を具備し、前記携帯端末装置は、前記レシピサーバからの前記料理情報のいずれか１つを選択して選択した前記料理情報の要求を前記レシピサーバに送る手段を具備する冷蔵庫在庫食品管理システムにおけるレシピサーバであって、前記携帯端末装置から前記在庫情報取得要求を受けた時に前記料理情報に係る調理を行うために不足している食品情報である購入食品情報を検索する購入食品情報検索手段と、前記購入食品情報検索手段により検索された前記購入食品情報に基づいて前記複数の食品宅配サービス業者の通信装置の１つを選択して当該通信装置に前記料理情報に係る購入食品の名称及び数量の情報を通知する購入食品情報通知手段と、を具備する構成を採る。
【００４３】
この構成によれば、宅外の携帯端末装置に対して、食品の在庫情報だけでなく、料理情報をレシピサービス手段が検索して一元管理して通知することができる。また、この構成によれば、購入食品情報に基づいて前記複数の食品宅配サービス業者の通信装置の１つを選択して当該通信装置に前記料理情報に係る購入食品の名称及び数量の情報を通知するから、食品宅配サービス業者は携帯端末装置の所有者（ユーザ）に購入食品を配達することができる。
【００４４】
請求項２０に記載の携帯端末装置は、複数の食品を収容し食品の在庫情報及び料理情報を管理する食品在庫料理情報管理手段を有する冷蔵庫と、携帯端末装置と、を具備し、前記食品在庫料理情報管理手段は、前記冷蔵庫に収容される食品の名称及び数量の食品情報を取得し前記冷蔵庫から取り出される前記食品の名称及び数量の食品情報を取得する食品情報取得手段と、前記食品情報取得手段により取得される前記食品情報を受けて前記冷蔵庫に収容される前記食品の前記在庫情報を管理する食品在庫情報管理手段と、前記携帯端末装置から前記在庫情報取得要求を受けた時に当該携帯端末装置に対して当該在庫情報取得要求に係る前記在庫情報に基づいた調理可能な料理情報を検索する料理情報検索手段と、前記携帯端末装置から前記在庫情報取得要求を受けた時に前記在庫情報及び前記料理情報を前記携帯端末装置に送信する手段と、を具備する冷蔵庫在庫食品管理システムにおける携帯端末装置であって、前記食品在庫料理情報管理手段に対して前記在庫情報の取得を要求する在庫情報取得要求を送信する手段を具備する構成を採る。
【００４５】
この構成によれば、宅外の携帯端末装置に対して、食品の在庫情報だけでなく、料理情報を検索して通知することができる。
【発明の効果】
【００４６】
以上説明したように、本発明によれば、宅外の携帯端末装置に対して、食品の在庫情報だけでなく、料理情報を検索して通知することができる。
【発明を実施するための最良の形態】
【００４７】
本発明の骨子は、冷蔵庫に収容される食品の名称及び数量の食品情報を取得し前記冷蔵庫から取り出される食品の名称及び数量の食品情報を取得し、前記食品情報を受けて前記冷蔵庫に収容される前記食品の前記在庫情報を管理し、携帯端末装置から在庫情報取得要求を受けた時に当該携帯端末装置に対して当該在庫情報取得要求に係る前記在庫情報に基づいた調理可能な料理情報を検索し、前記在庫情報及び前記料理情報を前記携帯端末装置に送信することである。
【００４８】
以下、本発明の実施の形態について、図面を参照して詳細に説明する。
【００４９】
（実施の形態１）
まず、本発明の実施の形態１について、図面を参照して詳細に説明する。図１に示すように、本発明の実施の形態１に係る冷蔵庫在庫食品管理システム１００は、冷蔵庫１０１、ホームネットワーク１０２、インターネット１０３、セルラーネットワーク１０４及び複数の携帯端末装置１０５（１つのみが図示されている）を具備している。冷蔵庫１０１は、複数の食品を収容し食品の在庫情報及び料理情報を管理する食品在庫料理情報管理装置１０６を有している。携帯端末装置１０５は、セルラーネットワーク１０４、インターネット１０３及びホームネットワーク１０２を介して冷蔵庫１０１の食品在庫料理情報管理装置１０６に対し情報の送受信が可能である。
【００５０】
図２に示すように、食品在庫料理情報管理装置１０６は、食品在庫情報管理装置２０１、通信制御装置２０２、レシピ検索装置２０３、複数のＲＦタグ通信装置２０４−１、２０４−２及び冷蔵庫１０１に収容されている複数の食品２１０−１〜２１０−ｎ、２２０−１〜２２０−ｎに付加されている複数のＲＦタグ２０５−１〜２０５−ｎ、２０６−１〜２０６−ｎを具備している。
【００５１】
複数のＲＦタグ通信装置２０４−１、２０４−２及び複数のＲＦタグ２０５−１〜２０５−ｎ、２０６−１〜２０６−ｎは、冷蔵庫１０１に収容される食品２１０−１〜２１０−ｎ、２２０−１〜２２０−ｎの名称及び数量の食品情報を取得し、冷蔵庫１０１から取り出される食品の名称及び数量の食品情報を取得する食品情報取得装置を構成している。
【００５２】
食品在庫情報管理装置２０１は、前記食品情報取得装置により取得される食品情報を受けて冷蔵庫に収容される食品の在庫情報を保存し管理する。レシピ検索装置２０３は、携帯端末装置１０５から在庫情報取得要求を受けた時に当該携帯端末装置１０５に対して当該在庫情報取得要求に係る在庫情報に基づいた調理可能な料理情報を検索する。
【００５３】
携帯端末装置１０５は、冷蔵庫１０１の食品在庫料理情報管理装置１０６の食品在庫情報管理装置２０１に対して在庫情報の取得を要求する在庫情報取得要求をセルラーネットワーク１０４、インターネット１０３、ホームネットワーク１０２及び通信制御装置２０２を介して送信する。食品在庫情報管理装置２０１は、携帯端末装置１０５から在庫情報取得要求を受けた時に在庫情報を携帯端末装置１０５に送信する。
【００５４】
また、携帯端末装置１０５は、レシピ検索装置２０３に対して在庫情報取得要求をセルラーネットワーク１０４、インターネット１０３、ホームネットワーク１０２及び通信制御装置２０２を介して送信する。レシピ検索装置２０３は、携帯端末装置１０５から在庫情報取得要求を受けた時に当該携帯端末装置１０５に対して当該在庫情報取得要求に係る在庫情報に基づいた調理可能な料理情報を検索し検索した料理情報を通信制御装置２０２、ホームネットワーク１０２、インターネット１０３及びセルラーネットワーク１０４を介して携帯端末装置１０５に送信する。
【００５５】
前記在庫情報は、図３に示すように食品識別コード及び食品の名称のほか食品データ等からなる。前記食品データは、購入日時、購入場所及び賞味期限などのデータからなる。なお、食品在庫情報管理装置２０１は、例えば、図４に示すように、食品の名称、数量、使用回数、管理場所、賞味期限及び保管期間などの在庫情報を保存してもよい。
【００５６】
次に、本発明の実施の形態１に係る冷蔵庫在庫食品管理システム１００のレシピ検索装置２０３について、図面に基づいて詳細に説明する。図５は、本発明の実施の形態１に係る冷蔵庫在庫食品管理システム１００のレシピ検索装置２０３の構成を詳細に示すブロック図である。
【００５７】
図５に示すように、レシピ検索装置２０３は、通信制御部５０１、使用食品記憶部５０２、レシピ蓄積部５０３、献立検索部５０４、購入食品検索部５０５、献立記憶部５０６及び在庫食品記憶部５０７を具備している。
【００５８】
携帯端末装置１０５は、レシピ検索装置２０３に対して在庫情報及び在庫情報取得要求をセルラーネットワーク１０４、インターネット１０３、ホームネットワーク１０２及び通信制御装置２０２を介して送信する。
【００５９】
使用食品記憶部５０２は、携帯端末装置１０５から通信制御部５０１を介して在庫情報取得要求を受けた時に使用食品の情報を記憶する。在庫食品記憶部５０７は、携帯端末装置１０５からの在庫情報取得要求に係る在庫情報を記憶する。献立検索部５０４は、レシピ蓄積部５０３に記憶されている調理情報に基づいて受信した使用食品記憶部５０２の使用食品により調理可能な１又は複数の料理情報を検索し、当該料理情報を在庫食品記憶部５０７の前記在庫情報とともに携帯端末装置１０５に送信する。
【００６０】
携帯端末装置１０５は、献立検索部５０４からの料理情報を表示部に表示し、ユーザにより選択された１又は複数の料理情報を通信制御部を介して献立記憶部５０６に送信する。献立記憶部５０６は、携帯端末装置１０５からの１又は複数の料理情報を記憶する。
【００６１】
購入食品検索部５０５は、携帯端末装置１０５から在庫情報取得要求を受けた時に献立記憶部５０６の料理情報と在庫食品記憶部５０７の在庫情報を比較して前記料理情報に係る調理を行うために不足している食品情報である購入食品情報（不足食品情報）を検索する。そして、購入食品検索部５０５は、検索された購入食品情報を携帯端末装置１０５に送信する。携帯端末装置１０５は、食品在庫料理情報管理装置１０６から通知された情報を保存する記憶装置を具備している。
【００６２】
このように、本発明の実施の形態１においては、宅外の携帯端末装置１０５に対して、食品の在庫情報だけでなく、料理情報を検索して通知することができる。また、本発明の実施の形態１においては、料理情報に係る調理を行うために不足している食品情報である購入食品情報を検索して携帯端末装置１０５に送信することができる。
【００６３】
（実施の形態２）
次に、本発明の実施の形態２について、図面を参照して詳細に説明する。図６は、本発明の実施の形態２に係る冷蔵庫在庫食品管理システムの食品在庫料理情報管理装置を示すブロック図である。本発明の実施の形態２においては、本発明の実施の形態１と同じ構成要素には同じ参照符号が付され、その説明が省略される。
【００６４】
図６に示すように、本発明の実施の形態２に係る冷蔵庫在庫食品管理システム６００は、本発明の実施の形態１においてレシピ検索装置２０３の代わりにレシピ検索装置６０１を具備している。そして、レシピ検索装置６０１は、本発明の実施の形態１におけるレシピ検索装置２０３において購入お勧め食品検索部６０２を追加してなる。
【００６５】
購入お勧め食品検索部６０２は、在庫食品記憶部５０７に記憶されている在庫情報の賞味期限情報を記憶し当該賞味期限情報に基づいて賞味期限が過ぎた賞味期限経過食品情報を検索して当該賞味期限経過食品情報に係る食品を購入お勧め食品として携帯端末装置１０５に通知する。携帯端末装置１０５は、購入お勧め食品検索部６０２から通知された情報を保存する記憶装置を具備している。
【００６６】
また、本発明の実施の形態２においては、購入お勧め食品検索部６０２は、在庫食品記憶部５０７に記憶されている在庫情報の賞味期限情報及び食品の管理状態に応じて、お勧め食品情報を通知するようにしてもよい。すなわち、購入お勧め食品検索部６０２は、賞味期限に近い食品及び賞味期限に近い又は賞味期限を過ぎているが管理場所が冷凍室であるため長期保管が可能であって至急に使用する必要がないことなどを考慮して、早く使用すべき食品情報を購入お勧め食品情報としてユーザに提供し、ユーザにその食品の使用を促すものである。購入お勧め食品情報は、例えば、図７に示すように、賞味期限及び食品の保管場所により、使用するお勧めの順番が決定された情報である。
【００６７】
このように、本発明の実施の形態２においては、本発明の実施の形態１の発明の効果に加えて、賞味期限が過ぎた賞味期限経過食品情報を検索して当該賞味期限経過食品情報に係る食品を購入お勧め食品として携帯端末装置に通知することができる。
【００６８】
（実施の形態３）
次に、本発明の実施の形態３について、図面を参照して詳細に説明する。図８は、本発明の実施の形態３に係る冷蔵庫在庫食品管理システムの食品在庫料理情報管理装置を示すブロック図である。本発明の実施の形態３においては、本発明の実施の形態１と同じ構成要素には同じ参照符号が付され、その説明が省略される。
【００６９】
図８に示すように、本発明の実施の形態３に係る冷蔵庫在庫食品管理システム８００は、本発明の実施の形態１においてレシピ検索装置２０３の代わりにレシピ検索装置８０１を具備している。そして、レシピ検索装置８０１は、本発明の実施の形態１におけるレシピ検索装置２０３において賞味期限順検索部８０２を追加してなる。
【００７０】
賞味期限順検索部８０２は、在庫食品記憶部５０７に記憶されている在庫情報の賞味期限情報を記憶し当該賞味期限情報に基づいて賞味期限順の食品情報を検索して当該賞味期限順の食品情報を携帯端末装置１０５に通知する。携帯端末装置１０５は、賞味期限順検索部８０２から通知された情報を保存する記憶装置を具備している。なお、本発明の実施の形態３は、本発明の実施の形態２に適用することができる。
【００７１】
このように、本発明の実施の形態３においては、本発明の実施の形態１、２の発明の効果に加えて、賞味期限情報に基づいて賞味期限順の食品情報を検索して当該賞味期限順の食品情報を携帯端末装置に通知することができる。
【００７２】
（実施の形態４）
次に、本発明の実施の形態４について、図面を参照して詳細に説明する。図９は、本発明の実施の形態４に係る冷蔵庫在庫食品管理システムの食品在庫料理情報管理装置を示すブロック図である。本発明の実施の形態４においては、本発明の実施の形態１と同じ構成要素には同じ参照符号が付され、その説明が省略される。
【００７３】
図９に示すように、本発明の実施の形態４に係る冷蔵庫在庫食品管理システム９００は、本発明の実施の形態１においてレシピ検索装置２０３の代わりにレシピ検索装置９０１を具備している。そして、レシピ検索装置９０１は、本発明の実施の形態１におけるレシピ検索装置２０３においてデイリー食品情報検索部９０２を追加してなる。
【００７４】
デイリー食品情報とは、特にユーザが指定した毎日食する牛乳、ジュース及びヨーグル等の食品の情報である。デイリー食品情報は、例えば、図１０に示すように、特にユーザが指定した毎日食する牛乳やジュース、ヨーグルトなどのデイリー食品の保管期間及び使用回数の情報である。デイリー食品情報は、在庫食品記憶部５０７に記憶される。デイリー食品情報は、例えば、図１０に示すような内容のものである。
【００７５】
デイリー食品情報検索部９０２は、デイリー食品の保管期間が一定値以上となった時又はデイリー食品の使用回数が一定値以上になった時に、購入お勧め食品としてユーザに通知し購入を促す。なお、本発明の実施の形態４は、本発明の実施の形態２、３に適用することができる。
【００７６】
このように、本発明の実施の形態４においては、本発明の実施の形態１、２、３の発明の効果に加えて、デイリー食品の保管期間が一定値以上となった時又はデイリー食品の使用回数が一定値以上になった時に、購入お勧め食品としてユーザに通知することができる。
【００７７】
（実施の形態５）
次に、本発明の実施の形態５について、図面を参照して詳細に説明する。図１１は、本発明の実施の形態５に係る冷蔵庫在庫食品管理システムの構成を示す図である。本発明の実施の形態５においては、本発明の実施の形態１と同じ構成要素には同じ参照符号が付され、その説明が省略される。
【００７８】
図１１は、本発明の実施の形態５に係る冷蔵庫在庫食品管理システム１１００は、冷蔵庫１１０１、ホームネットワーク１０２、インターネット１０３、セルラーネットワーク１０４、携帯端末装置１０５及びサービスセンター１１０２を具備している。冷蔵庫１１０１は、複数の食品を収容し食品の在庫情報を管理する食品在庫料理情報管理ユニット１１０３を有している。サービスセンター１１０２は、レシピサーバ１１０４を有している。携帯端末装置１０５は、セルラーネットワーク１０４、インターネット１０３及びホームネットワーク１０２を介して冷蔵庫１１０１の食品在庫料理情報管理ユニット１１０３に対し情報の送受信が可能である。また、携帯端末装置１０５は、セルラーネットワーク１０４、インターネット１０３及びサービスセンター１１０２を介してレシピサーバ１１０４に対し情報の送受信が可能である。
【００７９】
図１２に示すように、食品在庫料理情報管理ユニット１１０３は、食品在庫情報管理サーバ１２０１、通信制御装置２０２、複数のＲＦタグ通信装置２０４−１、２０４−２及び冷蔵庫１１０１に収容されている複数の食品２１０−１〜２１０−ｎ、２２０−１〜２２０−ｎに付加されている複数のＲＦタグ２０５−１〜２０５−ｎ、２０６−１〜２０６−ｎを具備している。
【００８０】
複数のＲＦタグ通信装置２０４−１、２０４−２及び複数のＲＦタグ２０５−１〜２０５−ｎ、２０６−１〜２０６−ｎは、冷蔵庫１１０１に収容される食品２１０−１〜２１０−ｎ、２２０−１〜２２０−ｎの名称及び数量の食品情報を取得し、冷蔵庫１１０１から取り出される食品の名称及び数量の食品情報を取得する食品情報取得装置を構成している。
【００８１】
食品在庫情報管理サーバ１２０１は、前記食品情報取得装置により取得される食品情報を受けて冷蔵庫に収容される食品の在庫情報を保存し管理する。食品在庫情報管理サーバ１２０１は、携帯端末装置１０５から在庫情報取得要求を受けた時に在庫情報を通信制御装置２０２を介して携帯端末装置１０５に送信する。
【００８２】
図１３に示すように、レシピサーバ１１０４は、本発明の実施の形態１に係るレシピ検索装置２０３においてユーザ情報管理部１３０１を追加してなる。すなわち、レシピサーバ１１０４は、通信制御部５０１、使用食品記憶部５０２、レシピ蓄積部５０３、献立検索部５０４、購入食品検索部５０５、献立記憶部５０６、在庫食品記憶部５０７及びユーザ情報管理部１３０１を具備している。ユーザ情報管理部１３０１は、レシピサーバ１１０４によるサービスを受けるユーザの情報であるホームアドレス情報を登録しておくためのものである。
【００８３】
次に、本発明の実施の形態１に係るレシピ検索装置２０３と異なる本発明の実施の形態５に係るレシピサーバ１１０４の動作について、図１３を参照して説明する。
【００８４】
購入食品検索部５０５は、携帯端末装置１０５から在庫情報取得要求を受けた時に献立が決定されると、購入食品を検索するためアクセスしているユーザの情報をユーザ情報管理部１３０１で検索し、ユーザのホームのアドレス情報を入手し当該アドレス情報に係る冷蔵庫１１０１の食品在庫料理情報管理ユニット１１０３にアクセスして食品の在庫情報を入手する。次に、購入食品検索部５０５は、携帯端末装置１０５から在庫情報取得要求を受けた時に献立記憶部５０６の料理情報と在庫食品記憶部５０７の在庫情報を比較して前記料理情報に係る調理を行うために不足している食品情報である購入食品情報（不足食品情報）を検索する。そして、購入食品検索部５０５は、検索された購入食品情報を前記アドレス情報に係る携帯端末装置１０５に送信する。
【００８５】
このように、本発明の実施の形態５においては、ユーザが携帯端末装置１０５によって購入食品を検索する時に食品の在庫情報をレシピサーバ１１０４に送信し、レシピサーバ１１０４が各家庭の冷蔵庫１１０１の食品在庫情報管理サーバ１２０１にアクセスし、各家庭の食品の在庫情報をレシピサーバが一元的に管理し料理情報を携帯端末装置１０５に送信することができる。また、本発明の実施の形態５においては、レシピサーバ１１０４は、料理情報に係る調理を行うために不足している食品情報である購入食品情報を検索して携帯端末装置１０５に送信することができる。
【００８６】
（実施の形態６）
次に、本発明の実施の形態６について、図面を参照して詳細に説明する。図１４は、本発明の実施の形態６に係る冷蔵庫在庫食品管理システムのレシピサーバ及び複数の店舗の食品情報保存装置を示すブロック図である。本発明の実施の形態６においては、本発明の実施の形態５と同じ構成要素には同じ参照符号が付され、その説明が省略される。
【００８７】
本発明の実施の形態６に係る冷蔵庫在庫食品管理システム１４００は、本発明の実施の形態５においてレシピサーバ１１０４の代わりにレシピサーバ１４０１を具備し、複数の店舗の食品在庫情報保存装置１４０２を追加してなる。そして、レシピサーバ１４０１は、本発明の実施の形態５においてレシピサーバ１１０４においてお勧め店舗検索部１４０３を追加してなる。お勧め店舗検索部１４０３は、通信制御部５０１を介して複数の店舗の食品在庫情報保存装置１４０２に対し情報の送受を行うことができる。
【００８８】
次に、本発明の実施の形態５に係るレシピサーバ１１０４と異なる本発明の実施の形態６に係るレシピサーバ１４０１の動作について、図１４を参照して説明する。
【００８９】
お勧め店舗検索部１４０３は、献立検索部により検索された調理可能な料理の料理情報及び複数の食品在庫情報保存装置１４０２の食品在庫情報に基づいてお勧めの店舗の名称及び所在地を検索して携帯端末装置１０５に通知する。なお、お勧め店舗検索部１４０３は、購入食品検索部５０５からの購入食品情報及び複数の食品在庫情報保存装置１４０２の食品在庫情報に基づいてお勧めの店舗の名称及び所在地を検索して携帯端末装置１０５に通知してもよい。
【００９０】
このように、本発明の実施の形態６においては、本発明の実施の形態５の効果に加えて、レシピサーバ１４０１は、お勧めの店舗の名称及び所在地を検索して携帯端末装置１０５に通知することができる。
【００９１】
（実施の形態７）
次に、本発明の実施の形態７について、図面を参照して詳細に説明する。図１５は、本発明の実施の形態７に係る冷蔵庫在庫食品管理システムのレシピサーバ及び複数の食品宅配サービス業者の通信装置を示すブロック図である。本発明の実施の形態７においては、本発明の実施の形態５と同じ構成要素には同じ参照符号が付され、その説明が省略される。
【００９２】
本発明の実施の形態７に係る冷蔵庫在庫食品管理システム１５００は、本発明の実施の形態５においてレシピサーバ１１０４の代わりにレシピサーバ１５０１を具備し、複数の複数の食品宅配サービス業者の通信装置１５０２を追加してなる。そして、レシピサーバ１５０１は、本発明の実施の形態５においてレシピサーバ１１０４において購入食品情報通知部１５０３を追加してなる。購入食品情報通知部１５０３は、通信制御部５０１を介して複数の食品宅配サービス業者の通信装置１５０２に対し情報の送受を行うことができる。
【００９３】
次に、本発明の実施の形態５に係るレシピサーバ１１０４と異なる本発明の実施の形態７に係るレシピサーバ１５０１の動作について、図１５を参照して説明する。
【００９４】
購入食品情報通知部１５０３は、携帯端末装置１０５からの料理情報の要求を通信制御部５０１を介して受ける。購入食品情報通知部１５０３は、携帯端末装置１０５からの料理情報の要求に応答して購入食品検索部５０５からの購入食品情報に基づいて複数の食品宅配サービス業者の通信装置１５０２の１つを選択して当該通信装置に料理情報に係る購入食品の名称及び数量の情報並びにユーザ情報を送る。食品宅配サービス業者の通信装置１５０２は、購入食品の名称及び数量の情報並びにユーザ情報を受けた時に表示部に表示する。なお、本発明の実施の形態７は、本発明の実施の形態６に適用することができる。
【００９５】
このように、本発明の実施の形態７においては、本発明の実施の形態５、６の効果に加えて、購入食品情報に基づいて前記複数の食品宅配サービス業者の通信装置１５０２の１つを選択して当該通信装置に前記料理情報に係る購入食品の名称及び数量の情報並びにユーザ情報を通知するから、食品宅配サービス業者は携帯端末装置の所有者（ユーザ）に購入食品を配達することができる。
【産業上の利用可能性】
【００９６】
本発明は、家庭の冷蔵庫に収容する食品の管理を行う冷蔵庫在庫食品管理システム、冷蔵庫及びレシピサーバに有用である。
【図面の簡単な説明】
【００９７】
【図１】本発明の実施の形態１に係る冷蔵庫在庫食品管理システムの構成を示す図
【図２】本発明の実施の形態１に係る冷蔵庫の構成を示すブロック図
【図３】本発明の実施の形態１に係る冷蔵庫在庫食品管理システムにおける在庫情報を説明するための図
【図４】本発明の実施の形態１に係る冷蔵庫在庫食品管理システムにおける他の在庫情報を説明するための図
【図５】本発明の実施の形態１に係る冷蔵庫在庫食品管理システムにおける冷蔵庫のレシピ検索装置の構成を示すブロック図
【図６】本発明の実施の形態２に係る冷蔵庫在庫食品管理システムにおける冷蔵庫のレシピ検索装置の構成を示すブロック図
【図７】本発明の実施の形態２に係る冷蔵庫在庫食品管理システムにおけるお勧め食品情報を説明するための図
【図８】本発明の実施の形態３に係る冷蔵庫在庫食品管理システムにおける冷蔵庫のレシピ検索装置の構成を示すブロック図
【図９】本発明の実施の形態４に係る冷蔵庫在庫食品管理システムにおける冷蔵庫のレシピ検索装置の構成を示すブロック図
【図１０】本発明の実施の形態４に係る冷蔵庫在庫食品管理システムにおけるデイリー食品情報を説明するための図
【図１１】本発明の実施の形態５に係る冷蔵庫在庫食品管理システムの構成を示す図
【図１２】本発明の実施の形態５に係る冷蔵庫の構成を示すブロック図
【図１３】本発明の実施の形態５に係る冷蔵庫在庫食品管理システムにおける冷蔵庫のレシピサーバの構成を示すブロック図
【図１４】本発明の実施の形態６に係る冷蔵庫在庫食品管理システムにおける冷蔵庫のレシピサーバの構成を示すブロック図
【図１５】本発明の実施の形態７に係る冷蔵庫在庫食品管理システムにおける冷蔵庫のレシピサーバの構成を示すブロック図
【符号の説明】
【００９８】
１００、６００、８００、９００、１４００、１５００  冷蔵庫在庫食品管理システム
１０１、１１０１  冷蔵庫
１０２  ホームネットワーク
１０３  インターネット
１０４  セルラーネットワーク
１０５  携帯端末装置
１０６  食品在庫料理情報管理装置
２０１  食品在庫情報管理装置
２０２  通信制御装置
２０３、６０１、８０１、９０１  レシピ検索装置
２０４−１、２０４−２  ＲＦタグ通信装置
２０５−１〜２０５−ｎ、２０６−１〜２０６−ｎ  ＲＦタグ
５０１  通信制御部
５０２  使用食品記憶部
５０３  レシピ蓄積部
５０４  献立検索部
５０５  購入食品検索部
５０６  献立記憶部
５０７  在庫食品記憶部
６０２  購入お勧め食品検索部
８０２  賞味期限順検索部
９０２  デイリー食品情報検索部
１１０２  サービスセンター
１１０３  食品在庫料理情報管理ユニット
１１０４、１４０１、１５０１  レシピサーバ
１２０１  食品在庫情報管理サーバ
１３０１  ユーザ情報管理部
１４０２  食品在庫情報保存装置
１４０３  お勧め店舗検索部
１５０２  通信装置
１５０３  購入食品情報通知部
【図１】
2005202696.tif 000003
【図２】
2005202696.tif 000004
【図３】
2005202696.tif 000005
【図４】
2005202696.tif 000006
【図５】
2005202696.tif 000007
【図６】
2005202696.tif 000008
【図７】
2005202696.tif 000009
【図８】
2005202696.tif 000010
【図９】
2005202696.tif 000011
【図１０】
2005202696.tif 000012
【図１１】
2005202696.tif 000013
【図１２】
2005202696.tif 000014
【図１３】
2005202696.tif 000015
【図１４】
2005202696.tif 000016
【図１５】
2005202696.tif 000017